(57)【要約】      （修正有）【課題】  高い取り付け精度の要求されない簡単な構造で、平版印刷版及び合紙の積層束から平版印刷版と合紙を確実に１組ずつ取り出すことの可能な平版印刷版供給装置を得る。【解決手段】  リードエッジガイド１００は、版束１８とガイドプレート５４との間に設けられており、平版印刷版２０Ａ、及び、その下の平版印刷版２０Ｂがピックアップローラ４２で搬送される際に当接可能な高さに配置されている。リードエッジガイド１００の下部には、幅方向Ｗに沿ってガイド軸１０２が挿通されており、ガイド軸１０２を中心に回動可能とされている。リードエッジガイド１００の下端には、引張りコイルバネ１０４の一端が取り付けられている。引張りコイルバネ１０４は、他端が図示しない固定部に固定されており、リードエッジガイド１００を搬送方向上流側へ付勢する。【選択図】図４−１
2006089169.tif 000002
【特許請求の範囲】
【請求項１】
平版印刷版と合紙とが相互に積層された積層束を押圧しつつ搬送方向へ力を作用させることにより、最上部の平版印刷版と合紙とを搬送する搬送手段と、
前記積層束の搬送方向の下流側に設けられ、搬送される最上部の平版印刷版の先端に当接して平版印刷版を湾曲させ、この平版印刷版に押されて傾倒しながら最上部の平版印刷版と合紙の通過を許容するガイド手段と、
を備えた平版印刷版供給装置。
【請求項２】
前記ガイド手段が、前記積層束の幅方向に沿って平行に配置された軸を中心に回動可能とされたガイド板と、前記ガイド板を積層束側へ付勢する付勢手段と、前記ガイド板に当接して、搬送される最上部の平版印刷版とガイド板の上端部とが当接する高さとなるようにガイド板の姿勢を維持する姿勢維持部材と、を含んで構成されていることを特徴とする請求項１に記載の平版印刷版供給装置。
【請求項３】
前記ガイド板がＰＯＭ系樹脂で成形されていることを特徴とする請求項２に記載の平版印刷版供給装置。
【請求項４】
前記ガイド手段が、基端部が固定され、自由端部が搬送される最上部の平版印刷版と当接する高さに位置する弾性変形可能な弾性板、を含んで構成されていることを特徴とする請求項１に記載の平版印刷版供給装置。
【請求項５】
前記ガイド手段が、前記搬送手段と前記最上部の平版印刷版との接触位置よりも前記平版印刷版の幅方向外側に配置されていることを特徴とする請求項１乃至請求項４のいずれか１項に記載の平版印刷版供給装置。
【発明の詳細な説明】
【技術分野】
【０００１】
本発明は、平版印刷版供給装置に関し、さらに詳しくは、平版印刷版と合紙とを交互に積層した積層束から、平版印刷版と合紙を１組ずつ供給する平版印刷版供給装置に関する。
【背景技術】
【０００２】
一般に、平版印刷版には、その画像記録面に保護用の合紙が密着され、さらにこれらが厚み方向に複数積層されて平版印刷版の版束が構成されることが多い。そして、平版印刷版に露光装置等で画像記録する場合には、この版束から平版印刷版を１枚ずつ取り出して露光装置に供給する必要がある。
【０００３】
例えば、特許文献１に記載の技術では、合紙はローラで送り出し、平版印刷版はバキュームパッドで送り出す構成が記載されている。しかしながら、この構成では、平版印刷版又は合紙を１枚ずつ取り出すために、合紙を取り出した後でないと次の平版印刷版を取り出すことができず、供給に時間を要する。しかも、平版印刷版と合紙とで別々の取り出し機構が必要になるため、部品点数が増大し、装置の大型化や高コストを招くおそれがある。
【０００４】
そこで、ローラで１組の平版印刷版と合紙とを搬送する（重送）方法が考えられるが、平版印刷版間への空気の流入などにより、２組以上の平版印刷版と合紙が搬送されてしままう（多重送）ことがある。
【０００５】
この多重送を防止するために、たとえば、搬送方向の下流側から最上部以外の平版印刷版に接触して移動を規制する板（捌き板）を設ける構成が考えられる。しかし、この構成では、最上部以外の平版印刷版のみに捌き板を接触させなければならず、捌き板の取り付けに高い精度が必要とされる。
【特許文献１】特開昭６０−２０２０２８号公報
【発明の開示】
【発明が解決しようとする課題】
【０００６】
本発明は上記事実を考慮し、高い取り付け精度の要求されない簡単な構造で、平版印刷版及び合紙の積層束から平版印刷版と合紙を確実に１組ずつ取り出すことの可能な平版印刷版供給装置を得ることを課題とする。
【課題を解決するための手段】
【０００７】
請求項１に記載の発明は、平版印刷版と合紙とが相互に積層された積層束を押圧しつつ搬送方向へ力を作用させることにより、最上部の平版印刷版と合紙とを搬送する搬送手段と、前記積層束の搬送方向の下流側に設けられ、搬送される最上部の平版印刷版の先端に当接して平版印刷版を湾曲させ、この平版印刷版に押されて傾倒しながら最上部の平版印刷版と合紙の通過を許容するガイド手段と、を備えている。
【０００８】
本発明の平版印刷版供給装置では、搬送手段が積層束を押圧しつつ搬送方向へ力を作用させることにより平版印刷版と合紙を搬送する。この搬送手段により最上部の平版印刷版と合紙のみを搬送する（重送）のが理想であるが、最上部の平版印刷版とその下の平版印刷版とが真空密着していたり、さらにその下の平版印刷版の下面に空気が入り込んでいたりすると、複数の平版印刷版と合紙が搬送されてしまう（多重送）。
【０００９】
多重送を防止するために、搬送方向下流側に、最上部の平版印刷版と合紙以外の積層束に当接して、最上部の平版印刷版と合紙より下の平版印刷版と合紙の搬送を阻止する阻止部材を設ける構成が考えられる。しかしながら、搬送される最上部の平版印刷版と合紙には当接せず、その下の平版印刷版には当接するように阻止部材を設置するためには、高い取り付け精度が要求され、製造が難しい。
【００１０】
そこで、本発明の平版印刷版供給装置では、最上部の平版印刷版にも当接するガイド手段を設ける。ガイド手段は最上部の平版印刷版に当接してよいので、高い取り付け精度を要求されない。
【００１１】
最上部の平版印刷版と合紙、及びその下側の平版印刷版と合紙が、搬送手段により搬送されると、最上部の平版印刷版の先端が搬送方向下流側に設けられたガイド手段に当接して湾曲される。すると、最上部の平版印刷版とその下側の平版印刷版との間に空気が流入する。この空気の流入により、最上部の平版印刷版及び合紙と、その下側の平版印刷版及び合紙とは容易に分離される状態になる。
【００１２】
この状態からさらに搬送手段によって搬送されると、ガイド手段は、最上部の平版印刷版に押されることにより、傾倒しながら最上部の平版印刷版と合紙の通過を許容する。これにより、最上部の平版印刷版と合紙は、ガイド手段の搬送方向下流側へ搬送される。一方、下側の平版印刷版及び合紙は、最上部の平版印刷版及び合紙との間に空気層が形成されていることから最上部の平版印刷版及び合紙と分離され、ガイド手段に当接したままガイド手段の搬送方向上流側に残される。
【００１３】
本発明によれば、高い取り付け精度を要求されない簡単なガイド手段の構成で、最上部の平版印刷版と合紙のみを確実に搬送することができる。
【００１４】
なお、本発明の平版印刷版供給装置は、請求項２に記載のように、前記ガイド手段を、前記積層束の幅方向に沿って平行に配置された軸を中心に回動可能とされたガイド板と、前記ガイド板を積層束側へ付勢する付勢手段と、前記ガイド板に当接して、搬送される最上部の平版印刷版とガイド板の上端部とが当接する高さとなるようにガイド板の姿勢を維持する姿勢維持部材と、を含んで構成することができる。
【００１５】
この構成の平版印刷版供給装置では、ガイド板は平版印刷版に押されて回動しながら傾倒し、最上部の平版印刷版と合紙の通過を許容する。最上部の平版印刷版と合紙の後端がガイド板を通過した後は、付勢手段によりガイド板は積層束側へ戻される。そして、ガイド板の姿勢は、姿勢維持部材に当接することにより、搬送される最上部の平版印刷版とガイド板の上端部とが当接する高さとなるように維持される。
【００１６】
上記構成とすることにより、簡単な構造のガイド手段を実現することができる。
【００１７】
なお、請求項２の平版印刷版供給装置のガイド板は、請求項３に記載のように、ＰＯＭ系樹脂で成形されていることが好ましい。
【００１８】
最上部の平版印刷版と共に搬送される合紙は、ガイド板に接触しつつ搬送されるので、ガイド板との間の摩擦が大きいとジャムが生じてしまう。そこで、上記のように、ガイド板をＰＯＭ系樹脂で成形する。これにより、ガイド板上を合紙が滑りやすくなり、合紙のジャムを防止することができる。
【００１９】
また、本発明の平版印刷版供給装置は、請求項４に記載のように、前記ガイド手段を、基端部が固定され、自由端部が搬送される最上部の平版印刷版と当接する高さに位置する弾性変形可能な弾性板、を含んで構成することにより実現することができる。
【００２０】
この構成の平版印刷版供給装置では、弾性板は、自由端が最上部の平版印刷版に押されて弾性変形することにより傾倒して最上部の平版印刷版と合紙の通過を許容する。最上部の平版印刷版と合紙の後端が弾性板を通過した後は、弾性板はその弾性力により積層束側へ戻る。このとき、弾性板に当接されていた最上部の平版印刷版より下側の平版印刷版と合紙も弾性板に押し戻される。
【００２１】
上記構成とすることにより、簡単な構造のガイド手段を実現することができる。
【００２２】
また、本発明の平版印刷版供給装置は、請求項５に記載のように、前記ガイド手段が、前記搬送手段と前記最上部の平版印刷版との接触位置よりも前記平版印刷版の幅方向外側に配置されていることが好ましい。
【００２３】
最上部の平版印刷版は搬送手段との接触位置では、曲げモーメントが発生しにくいため、ガイド手段に移動を阻止されても湾曲しにくい。一方、接触位置よりも幅方向外側であれば、前記の接触位置よりも湾曲しやすい。そこで、上記のように、ガイド手段を前記の接触位置よりも幅方向外側に配置する。これにより、最上部の平版印刷版を湾曲しやすくすることができ、最上部の平版印刷版及び合紙と、その下側の平版印刷版及び合紙との間に空気を流入しやすくすることができる。
【発明の効果】
【００２４】
本発明は上記構成としたので、、高い取り付け精度の要求されない簡単な構成で、平版印刷版及び合紙の積層束から平版印刷版と合紙を確実に１組ずつ取り出すことができる。
【発明を実施するための最良の形態】
【００２５】
図１には、本発明の第１実施形態の平版印刷版供給装置１２の全体構成が示されている。また、図２には、この平版印刷版供給装置１２の載置部１４及び送り出し部１６が、載置部１４に版束１８を載置した状態で示されている。
【００２６】
図３に示すように、平版印刷版２０はアルミニウムなどで板状に形成された支持体の一面に感光剤が塗布されて感光剤面２０Ｅが構成されており、この感光剤面２０Ｅを保護する合紙２２と平版印刷版２０とが交互に積層されて、版束１８が構成されている。なお、図３に示した状態のものは、感光剤面２０Ｅが上を向くように積層されており、最上の平版印刷版２０の感光剤面２０Ｅを保護する合紙２２は既に除去されている。
【００２７】
図１に示すように、平版印刷版供給装置１２は台部２６を備えており、この台部２６上に、載置部１４及び送り出し部１６が配置されている。台部２６にはキャスター２８が取り付けられており、平版印刷版供給装置１２全体を移動させて、たとえば露光装置の平版印刷版挿入部等へ着脱させることができる。
【００２８】
図２に示すように、載置部１４は、扁平な四角形の載置トレイ３０を有しており、載置トレイ３０内には、２つの側端ガイド板３２と、１つの後端ガイド板３４が配置されている。側端ガイド板３２は図示しないスライド機構によって矢印Ｗ方向にスライドし、平版印刷版２０のサイズに合わせて版束１８、すなわち、複数枚の積層組２４の側面を位置揃えする。同様に、後端ガイド板３４も図示しないスライド機構によって矢印Ｆ方向（及びその反対方向）にスライドし、版束１８の後端を位置揃えする。
【００２９】
載置部１４には、載置された版束１８の周囲を覆うように、複数のカバー３６が設けられている。版束１８の搬送方向下流側の端部を覆うカバー３６Ａは、露光装置等に装着されると図示しない押圧部材によって上方に押圧されて、図１に示すように、ヒンジ３８を中心に回動し、跳ね上がるようになっている。
【００３０】
図２に示すように、載置部１４の上方には、平版印刷版２０の幅方向に沿ってホルダー４０が掛け渡されている。ホルダー４０には、載置部１４に載置された版束１８の上方に位置するように、ピックアップローラ４２が回転可能に取り付けられており、駆動モータ４４の駆動力が無端ベルト４６を介して作用し、平版印刷版２０（又は合紙２２）を搬送する方向へ回転（順転）する（以下この方向の回転を「順転」といい矢印Ｊで示す）。なお、平版印刷版２０の送り出し方向を矢印Ｆで（以下「搬送方向Ｆ」という）、これと直交する方向（平版印刷版２０の幅方向）を矢印Ｗで（以下「幅方向Ｗ」という）それぞれ示す。
【００３１】
ホルダー４０は、その幅方向両端で、且つ搬送方向下流側に設けられた支軸４８を中心に回動可能とされている。ホルダー４０の側方に設けられた駆動ユニット５０からの回動駆動力で、ピックアップローラ４２が版束１８に所定の荷重を作用させて接触する搬送位置と、版束１８から離間した離間位置との間を回動する。
【００３２】
載置トレイ３０の底部は、搬送方向上流側に設けられた図示しないヒンジによって揺動する載置板５２とされている。載置板５２に版束１８が載置された状態で、載置板５２が図示しない付勢部材で上方に付勢され、最上の平版印刷版２０（又は合紙２２）が確実にピックアップローラ４２に接触する。
【００３３】
載置部１４よりも搬送方向下流には、搬送方向Ｆに所定間隔を空けて２枚のガイドプレート５４、５６が配置されている。平版印刷版２０は、これらのガイドプレート５４、５６に支持されつつ搬送される。
【００３４】
図４（Ａ）〜（Ｅ）に示すように、載置板５２に載置された版束１８とガイドプレート５４との間には、リードエッジガイド１００が設けられている。リードエッジガイド１００は、図５に示すように、版束１８から等距離の２カ所に設けられており、ピックアップローラ４２と最上部の平版印刷版２０（以下、最上部の平版印刷版２０を「平版印刷版２０Ａ」という）の接触領域Ｎよりも、幅方向Ｗの外側に配置されている。また、リードエッジガイド１００は、平版印刷版２０Ａ、及び、その下の平版印刷版２０（以下、この平版印刷版２０を「平版印刷版２０Ｂ」という）がピックアップローラ４２で搬送される際に当接可能な高さに配置されている（図４（Ａ）参照）。
【００３５】
リードエッジガイド１００のガイドプレート５４側は、鉛直方向先端に向かって版束１８側へ傾斜のつけられた先細り形状とされている。このような形状とすることにより、リードエッジガイド１００が後述のように搬送方向へ回動される際に必要となる空間を小さくすることができる。
【００３６】
リードエッジガイド１００の下部には、幅方向Ｗに沿ってガイド軸１０２が挿通されている。リードエッジガイド１００は、ガイド軸１０２を中心に回動可能とされている。また、リードエッジガイド１００の下端には、引張りコイルバネ１０４の一端が取り付けられている。引張りコイルバネ１０４は、他端が図示しない固定部に固定されており、ガイド軸１０２を支点としてリードエッジガイド１００に対して回転モーメントを発生させている。これにより、リードエッジガイド１００は、搬送方向上流側、すなわち、版束１８側へ付勢されている。そして、リードエッジガイド１００は、押圧されていない状態では、ストッパ１０６に当接することにより回転規制され、版束１８側の面が版束１８と平行になる基準位置Ｐ１に保持されている（図４（Ａ）参照）。また、リードエッジガイド１００が搬送方向上流側から押圧されると、ガイド軸１０２を中心に矢印Ｑ方向へ回動して傾倒し、引張りコイルバネ１０４は伸張する。矢印Ｑ方向は、版束１８の積層方向下側へ向かう成分を有している。リードエッジガイド１００は、矢印Ｑ方向へ回動しつつ、平版印刷版２０Ａ及び合紙２２Ａがリードエッジガイド１００の搬送方向下流側へ移動可能となる位置（以下この位置を「退避位置Ｐ２」という、図４（Ｄ）参照）まで回動される。
【００３７】
図１に示すように、ガイドプレート５４、５６の間には、合紙分離装置５８が配置されている。合紙分離装置５８は、搬送方向Ｆに沿って順に配置された、搬送ローラユニット６０及びリタードローラユニット６２を有している。これらはいずれも、図２に示すように、幅方向Ｗに沿って掛け渡された回転可能なシャフト６４と、このシャフト６４に所定間隔をあけて固定された複数のゴムローラ６６とで構成されている。駆動モータ６１からの駆動力を受けて回転すると、搬送ローラユニット６０のゴムローラ６６が矢印Ｒ１方向に回転（順転）し、リタードローラユニット６２のゴムローラ６６は矢印Ｒ１と逆方向の矢印Ｒ２方向に回転（逆転）する。
【００３８】
リタードローラユニット６２は、その一端側に設けられた駆動ユニット６８により、搬送中の合紙２２に接触する位置と、合紙２２から離間する位置との間を移動する。接触位置では、合紙２２への接触状態でリタードローラユニット６２が逆転するので、合紙２２を平版印刷版２０から分離できる。また、搬送ローラユニット６０のゴムローラ６６との間で合紙２２をニップできるように、リタードローラユニット６２のゴムローラ６６が搬送ローラユニット６０のゴムローラ６６に接触する。
【００３９】
搬送ローラユニット６０の上方には、ニップローラ７０が幅方向に沿って回転可能に掛け渡されている。ニップローラ７０はその自重によって、搬送ローラユニット６０のゴムローラ６６との間で平版印刷版２０及び合紙２２をニップ可能に接触している。
【００４０】
搬送ローラユニット６０及びリタードローラユニット６２の下方には、それぞれ合紙搬送ローラユニット７２Ａ、７２Ｂが配置されている。合紙搬送ローラユニット７２Ａ、７２Ｂも搬送ローラユニット６０やリタードローラユニット６２と同様にシャフト６４とゴムローラ６６とで構成されており、合紙搬送ローラユニット７２Ａ、７２Ｂのゴムローラ６６間で、合紙２２をニップすることができるようになっている。合紙搬送ローラユニット７２Ａ、７２Ｂのゴムローラ６６の間に合紙２２をニップした状態で回転することで、ニップされた合紙２２を搬送ベルト７４に沿って下方へと搬送することができる。
【００４１】
合紙搬送ローラユニット７２Ａ、７２Ｂの下方には、合紙２２が集積される集積箱７６が設けられている。
【００４２】
次に、本実施形態の作用について説明する。
【００４３】
上記の構成とされた平版印刷版供給装置１２によって、露光装置に平版印刷版２０を供給する場合、まず、載置部１４に版束１８を載置する。このとき、版束１８の後端１８Ｂが後端ガイド板３４に、側端が側端ガイド板３２にそれぞれ接触して位置揃えされる。
【００４４】
平版印刷版供給装置１２を露光装置の所定位置に装着すると、図１に示すように、カバー３６Ａが上方に回動して、版束１８の一部（前端部近傍）が露出する。そして、駆動ユニット５０によってホルダー４０が駆動されて、ピックアップローラ４２が版束１８に接触される（図４（Ａ）参照）。
【００４５】
この状態でピックアップローラ４２が矢印Ｊ方向へ回転すると、平版印刷版２０Ａ及び合紙２２Ａは搬送方向Ｆへ搬送される。このとき、平版印刷版２０Ａと平版印刷版２０Ｂとが真空密着されていたり、平版印刷版２０Ｂとその下の平版印刷版２０Ｃとの間に空気が介入していたりすると、図４（Ｂ）に示すように、最上部の平版印刷版２０Ａ及び合紙２２Ａと共に次の平版印刷版２０Ｂ及び合紙２２Ｂも搬送方向Ｆへ搬送される。そして、平版印刷版２０Ａ及び合紙２２Ａと平版印刷版２０Ｂ及び合紙２２Ｂとは、基準位置Ｐ１に配置されているリードエッジガイド１００へ当接する。
【００４６】
ピックアップローラ４２がさらに矢印Ｊ方向へ回転すると、リードエッジガイド１００は、平版印刷版２０Ａ及び平版印刷版２０Ｂに押圧されて、矢印Ｑ方向へ回動する（図４（Ｃ）参照）。このとき、平版印刷版２０Ａ及び平版印刷版２０Ｂの先端部分は、リードエッジガイド１００からの反力で撓み、両者（平版印刷版２０Ａと平版印刷版２０Ｂ）の曲率差により、図６にも示すように、平版印刷版２０Ａと平版印刷版２０Ｂとの間に空気Ｅが流入する。この空気Ｅの流入により、平版印刷版２０Ａと平版印刷版２０Ｂとは容易に分離される状態になる。なお、本実施形態では、リードエッジ１００を、ピックアップローラ４２と平版印刷版２０Ａとの接触領域Ｎの幅方向Ｗよりも外側に設けているので、内側に設けた場合と比較して、平版印刷版２０Ａの先端が湾曲しやすく、より多くの空気Ｅを流入させることができる。
【００４７】
この状態から、さらに平版印刷版２０Ａに押圧されてリードエッジガイド１００は矢印Ｑ方向へ回動し、退避位置Ｐ２に至って平版印刷版２０Ａ及び合紙２２Ａの通過が許容される（図４（Ｄ参照）。これにより、平版印刷版２０Ａ及び合紙２２Ａは、リードエッジガイド１００の搬送方向下流側へ搬送される。一方、平版印刷版２０Ｂ及び合紙２２Ｂは、平版印刷版２０Ａ及び合紙２２Ａと分離され、リードエッジガイド１００の搬送方向上流側へ残される。
【００４８】
図示しないセンサにより平版印刷版２０Ａ及び合紙２２Ａの後端がリードエッジガイド１００を通過したことが検知されると、ホルダー４０が上側へ回動されてピックアップローラ４２は版束１８から離れる。これにより、平版印刷版２０Ｂによるリードエッジガイド１００への押圧は解除され、リードエッジガイド１００は引張りコイルバネ１０４に引っ張られて矢印Ｑと逆の矢印Ｑ'方向へ回動し、ストッパ１０６と当接される基準位置Ｐ１へ戻される。平版印刷版２０Ｂ及び合紙２２Ｂも、リードエッジガイド１００に押されて、版束１８側へ戻される。
【００４９】
本実施形態によれば、高い取り付け精度を要求されない、簡単な構成のリードエッジガイド１００により、最上部の平版印刷版２０Ａ及び合紙２２Ａのみを確実に搬送することができる。
【００５０】
また、合紙分離装置５８での、平版印刷版２０からの合紙２２の分離は、以下のようにして行なわれる。図示しないセンサにより平版印刷版２０と合紙２２の重送であると判断されると、搬送ローラユニット６０及びリタードローラユニット６２が回転し、リタードローラユニット６２が上昇する。そして、リタードローラユニット６２のゴムローラ６６が逆転しつつ合紙２２に接触することで、合紙２２には、搬送ローラユニット６０からの搬送方向の力と、リタードローラユニット６２からの搬送方向と反対方向の力とが作用するので、平版印刷版２０から分離できる。そして、合紙２２は中間部分が折れ曲がった状態で搬送ローラユニット６０とリタードローラユニット６２のゴムローラ６６に挟持されて下方へ搬送され、集積箱７６に集積される。平版印刷版２０は搬送方向Ｆへさらに搬送され、露光装置へと送られる。
【００５１】
なお、本実施形態では、リードエッジガイド１００を、ガイド軸１０２を中心に回動可能とし、引張りコイルバネ１０４でリードエッジガイド１００を搬送方向上流側へ付勢した構成とした例について説明したが、リードエッジガイドはこの構成に限定されるものではない。他にも例えば、図７（Ａ）〜（Ｅ）に示すように、弾性変形可能な部材で構成し、引張りコイルバネ１０４を必要としない構成のリードエッジガイド１１０とすることもできる。この場合には、リードエッジガイド１１０の下側の基端部を固定すると共に、上側を自由端とする。そして、自由端側が、平版印刷版２０Ａ及び平版印刷版２０Ｂの両方に当接される位置に配置する（図７（Ａ）参照）。ピックアップローラ４２がＪ方向へ回転すると、平版印刷版２０Ａ及び合紙２２Ａ、平版印刷版２０Ｂ及び合紙２２Ｂがリードエッジガイド１１０に当接される（図７（Ｂ）参照）。ピックアップローラ４２がさらに回転すると、図７（Ｃ）に示すように、リードエッジガイド１１０は、平版印刷版２０Ａに押されて搬送方向下流側へ湾曲するように弾性変形して傾倒し、さらに押されることにより図７（Ｄ）に示すように、平版印刷版２０Ａ及び合紙２２Ａの通過を許容する。これにより平版印刷版２０Ａと合紙２２Ａのみがリードエッジガイド１１０の搬送方向下流側へ搬送される。そして、平版印刷版２０Ａと合紙２２Ａの後端がリードエッジガイド１１０を通過後には、図７（Ｅ）に示すように、リードエッジガイド１１０はその弾性力により元の位置に戻される。
【００５２】
この構成によれば、ガイド軸や引張りコイルバネを必要とせず、より簡単な構成のリードエッジガイドとすることができる。
【図面の簡単な説明】
【００５３】
【図１】本発明の実施形態の平版印刷版供給装置を示す側面図である。
【図２】本発明の実施形態の平版印刷版供給装置の載置部及び送り出し部を示す斜視図である。
【図３】本発明実施形態の平版印刷版供給装置にセットされる版束を示す斜視図である。
【図４】平版印刷版供給装置での平版印刷版の取り出し時におけるリードエッジガイドと積層組との側面方向の関係を時系列的に説明する説明図である。
【図５】平版印刷版供給装置での平版印刷版の取り出しにおけるリードエッジガイドと積層組との図４（Ａ）に対応する関係を上面からみた図である。
【図６】平版印刷版供給装置での平版印刷版の取り出しにおけるリードエッジガイドと積層組との図４（Ｂ）に対応する関係を上面からみた図である。
【図７】本発明の他の実施形態の平版印刷版供給装置での平版印刷版の取り出し時におけるリードエッジガイドと積層組との側面方向の関係を時系列的に説明する説明図である。
【符号の説明】
【００５４】
１２  平版印刷版供給装置
１８  版束（積層束）
２０  平版印刷版
２２  合紙
４２  ピックアップローラ（搬送手段、搬送ローラ）
１００  リードエッジガイド（ガイド手段）
１０４  引っ張りコイルバネ（付勢手段）
１０６  ストッパ（姿勢維持部材）
１１０  リードエッジガイド（ガイド手段）
【図１】
2006089169.tif 000003
【図２】
2006089169.tif 000004
【図３】
2006089169.tif 000005
【図４−１】
2006089169.tif 000006
【図４−２】
2006089169.tif 000007
【図４−３】
2006089169.tif 000008
【図５】
2006089169.tif 000009
【図６】
2006089169.tif 000010
【図７−１】
2006089169.tif 000011
【図７−２】
2006089169.tif 000012
【図７−３】
2006089169.tif 000013